(57)【要約】【課題】外部交流電源から外した際の感電を防ぐととともに、消費電力が小さいスイッチング電源装置を提供する。【解決手段】スイッチ素子４と直列に接続される放電抵抗Ｒ８と、ＡＣ入力電圧の低下を検知する電圧低下検知回路２とを備え、直列に接続された、放電抵抗Ｒ８及びスイッチ素子４は、コンデンサＣ２と並列に接続され、電圧低下検知回路２は、ＡＣ入力電圧の低下を検知すると、制御電圧をスイッチ素子４の制御入力に出力してスイッチ素子４を導通させる。【選択図】図１
2011067075.tif 000002
【特許請求の範囲】
【請求項１】
外部交流電源から交流入力電圧が入力されるスイッチング電源装置であって、
主スイッチング素子が発生するノイズが、外部交流電源に流出するのを防ぐラインフィルタ部と、
上記ラインフィルタ部の出力電圧を整流するダイオードブリッジ部と、
両端が、それぞれ上記ダイオードブリッジ部の２つの出力に接続される第１のコンデンサと、
他励式にて、上記主スイッチング素子を制御して、直流入力を所望する電圧に安定化して直流出力として出力するための制御部とを備え、
上記ラインフィルタ部は、ラインフィルタと第２のコンデンサとを有し、
上記外部交流電源と上記ラインフィルタとの間に第２のコンデンサが接続されるスイッチング電源装置において、
スイッチ部と直列に接続される放電抵抗と、
上記交流入力電圧の低下を検知する電圧低下検知部とを備え、
直列に接続された、上記放電抵抗及び上記スイッチ部は、上記第１のコンデンサと並列に接続され、
上記電圧低下検知部は、上記交流入力電圧の低下を検知すると、制御電圧を上記スイッチ部の制御入力に出力して上記スイッチ部を導通させることを特徴とするスイッチング電源装置。
【請求項２】
上記電圧低下検知部は、上記交流入力電圧を、上記ダイオードブリッジ部で整流するとともに上記第１のコンデンサで平滑した後の電圧が入力され、上記平滑した後の電圧の低下を検知することにより、上記交流入力電圧の低下を検知することを特徴とする請求項１に記載のスイッチング電源装置。
【請求項３】
上記ダイオードブリッジ部と上記電圧低下検知部との間に設けられた高調波対策部をさらに備えることを特徴とする請求項１または２に記載のスイッチング電源装置。
【請求項４】
上記スイッチ部は、トライアックまたはサーミスタであることを特徴とする請求項１に記載のスイッチング電源装置。
【請求項５】
上記スイッチ部は、ホトトライアックであり、
上記ホトトライアックは、第１のダイオード部と、トライアック部とを有し、
上記第１のダイオード部のアノードは、上記制御入力であり、
上記トライアック部は、上記第１のダイオード部の導通時にＯＮすることを特徴とする請求項１に記載のスイッチング電源装置。
【請求項６】
上記電圧低下検知部は、ホトカプラを有し、
上記ホトカプラは、第２のダイオード部と、トランジスタ部とを有し、
上記第２のダイオード部は、上記ダイオードブリッジ部と上記放電抵抗との間に設けられ、
上記トランジスタ部は、ＯＮ時に上記制御入力を電気的に接地することを特徴とする請求項１、４または５に記載のスイッチング電源装置。
【請求項７】
上記電圧低下検知部は、比較部を有し、
上記比較部の第１の入力には、上記交流入力電圧に基づく第１の電圧が入力され、
上記比較部の第２の入力には、上記直流入力に基づく第２の電圧が入力され、
上記比較部の、上記第１の電圧と上記第２の電圧との比較結果に基づき、上記第１のダイオード部のアノードに制御電圧が出力されることを特徴とする請求項５に記載のスイッチング電源装置。
【発明の詳細な説明】
【技術分野】
【０００１】
本発明は、ＡＣラインフィルタに設けたコンデンサの電荷とＡＣ整流平滑後のラインに設けたコンデンサの電荷とを同時に放電するスイッチング電源装置に関する。
【背景技術】
【０００２】
図１４は、従来のスイッチング電源装置１０１の回路図である。スイッチング電源装置１０１では、スイッチング素子Ｑ１０１が発生するノイズが、商用のＡＣ電源ラインに流出するのを防ぐため、ＡＣラインフィルタ回路１０６を設ける。
【０００３】
ＡＣラインフィルタ回路１０６は、ラインフィルタＬ１０１とコンデンサＣ１０１，Ｃ１０７とを有しているが、スイッチング電源装置１０１を商用の交流電源ＡＣから外した際に、コンデンサＣ１０１，Ｃ１０７に充電された電荷がＡＣプラグの両端に現れ、感電の危険がある。このため、図１４に示すように、スイッチング電源装置１０１に放電抵抗Ｒ１１０を設け、コンデンサＣ１０１，Ｃ１０７の電荷を放電する。一般的に、コンデンサＣ１０１，Ｃ１０７の静電容量が０．２μＦの場合、放電抵抗Ｒ１１０の抵抗値は１ＭΩ程度に設定する。
【０００４】
また、スイッチング電源装置１０１を交流電源ＡＣから外した際に、コンデンサＣ１０２（ＡＣ整流平滑コンデンサ）に充電された電荷によりスイッチング電源装置１０１は動作を維持する。しかし、コンデンサＣ１０２の電位が低下を続けトランスＴ１０１の出力電圧が低下を始めるとスイッチング制御回路１０３は動作を停止する。その際、コンデンサＣ１０２の電荷を放電する（消費する）ための負荷は放電抵抗Ｒ１１０になるが、一般的に、コンデンサＣ１０２の静電容量は、ＡＣラインフィルタ回路１０６のコンデンサＣ１０１，Ｃ１０７の静電容量よりはるかに大きく、数十μＦ以上になる。このため、コンデンサＣ１０２の放電時間は、コンデンサＣ１０１，Ｃ１０７の放電時間よりも長くなる。
【０００５】
なお、スイッチング電源装置１０１は、ＡＣラインフィルタ回路１０６の出力を整流するダイオードＤ１０１と、トランスＴ１０１の２次巻線Ｎ１０２の一方に接続されているダイオードＤ１０２と、一端がダイオードＤ１０２のカソードに接続され、他端がトランスＴ１０１の２次巻線の他方に接続されているコンデンサＣ１０３とを備えている。また、負荷ＬＯＡＤは、コンデンサＣ１０３に並列に接続されている。さらに、トランスＴ１０１は、ダイオードＤ１０１のカソードから出力される電流が流れる１次主巻線Ｎ１０１と、スイッチング制御回路１０３に接続されている１次副巻線Ｎ１０３とを有している。
【０００６】
図１４と同様に放電抵抗を備えるものとして、特許文献１には、１次側回路の並列コンデンサと並列に、電源スイッチを切ることに連動して作動する放電回路が接続された、スイッチング電源が開示されている。
【先行技術文献】
【特許文献】
【０００７】
【特許文献１】実開昭６３−４１８４号公報（昭和６３年１月１２日公開）
【発明の概要】
【発明が解決しようとする課題】
【０００８】
しかしながら、図１４の従来技術は、以下に示す問題がある。即ち、スイッチング電源装置１０１では、ＡＣラインフィルタ回路１０６のコンデンサＣ１０１，Ｃ１０７に充電された電荷を放電抵抗Ｒ１１０で放電するが、コンデンサＣ１０２に充電された電荷を放電するには放電抵抗Ｒ１１０は抵抗値が大きい。放電抵抗Ｒ１１０は抵抗値を、コンデンサＣ１０２を放電する値まで小さくすると、スイッチング電源装置１０１が商用の交流電源ＡＣに接続されている間の放電抵抗Ｒ１１０の消費電力が大きくなり、非経済的である。
【０００９】
本発明は、上記の問題点に鑑みてなされたものであり、その目的は、外部交流電源から外した際の感電を防ぐととともに、消費電力が小さいスイッチング電源装置を提供することにある。
【課題を解決するための手段】
【００１０】
本発明のスイッチング電源装置は、上記課題を解決するために、外部交流電源から交流入力電圧が入力されるスイッチング電源装置であって、主スイッチング素子が発生するノイズが、外部交流電源に流出するのを防ぐラインフィルタ部と、上記ラインフィルタ部の出力電圧を整流するダイオードブリッジ部と、両端が、それぞれ上記ダイオードブリッジ部の２つの出力に接続される第１のコンデンサと、他励式にて、上記主スイッチング素子を制御して、直流入力を所望する電圧に安定化して直流出力として出力するための制御部とを備え、上記ラインフィルタ部は、ラインフィルタと第２のコンデンサとを有し、上記外部交流電源と上記ラインフィルタとの間に第２のコンデンサが接続されるスイッチング電源装置において、スイッチ部と直列に接続される放電抵抗と、上記交流入力電圧の低下を検知する電圧低下検知部とを備え、直列に接続された、上記放電抵抗及び上記スイッチ部は、上記第１のコンデンサと並列に接続され、上記電圧低下検知部は、上記交流入力電圧の低下を検知すると、制御電圧を上記スイッチ部の制御入力に出力して上記スイッチ部を導通させることを特徴とする。
【００１１】
上記発明によれば、上記電圧低下検知部は、上記交流入力電圧の低下を検知すると、制御電圧を上記スイッチ素子部の制御入力に出力して上記スイッチ部を導通させる。上記スイッチ部を導通させることにより、上記放電抵抗は、上記第１のコンデンサと並列に接続されるとともに、上記ダイオードブリッジ部を介して上記ラインフィルタ部の上記第２のコンデンサと接続される。上記放電抵抗により、上記第１のコンデンサの電荷と上記第２のコンデンサの電荷とを同時に放電できる。
【００１２】
また、上記放電抵抗は、上記交流入力電圧が低下した後、即ち上記第１のコンデンサ及び上記第２のコンデンサを放電したい時だけ接続される。従って、スイッチング電源装置の消費電力が小さくなり経済的であるとともに、上記放電抵抗の抵抗値は、放電に最適な抵抗値に設定すればよく、上記放電抵抗は、従来の放電抵抗よりも抵抗値を小さく出来、より早く放電できる。
【００１３】
さらに、上記放電抵抗は、従来の放電抵抗と異なり、上記ダイオードブリッジ部の出力側にある。従って、上記放電抵抗が、上記第１のコンデンサと並列に接続されるとともに、上記ダイオードブリッジ部を介して上記ラインフィルタ部の上記第２のコンデンサと接続された際に、上記第１のコンデンサ及び上記第２のコンデンサの電荷の放電による電流が、スイッチング電源装置の内部へ向けて流れ、上記外部交流電源側に流れない。よって、感電の恐れが無い。
【００１４】
従って、外部交流電源から外した際の感電を防ぐととともに、消費電力が小さいスイッチング電源装置を提供することができる。
【００１５】
上記スイッチング電源装置では、上記電圧低下検知部は、上記交流入力電圧を、上記ダイオードブリッジ部で整流するとともに上記第１のコンデンサで平滑した後の電圧が入力され、上記平滑した後の電圧の低下を検知することにより、上記交流入力電圧の低下を検知してもよい。これにより、上記電圧低下検知部は、上記交流入力電圧の低下を検知できる。
【００１６】
上記スイッチング電源装置では、上記ダイオードブリッジ部と上記電圧低下検知部との間に設けられた高調波対策部をさらに備えてもよい。上記高調波対策部の出力電圧の低下を、上記電圧低下検知部で検知することにより、上記スイッチ部を導通させることができる。
【００１７】
上記スイッチング電源装置では、上記スイッチ部は、トライアックまたはサーミスタであってもよい。上記スイッチ部は、制御入力に印加される電圧が、制御入力に印加されなくなっても導通し続けることが望ましい。このため、ゲートに電圧が印加されると、アノードとカソードとの間が導通し、アノードとカソードとの間を流れる導通電流が０になるまで導通し続けるトライアックを用いると、上記スイッチング電源装置において適切に放電抵抗を接続できる。また、上記理由から、上記スイッチ部としてサーミスタを用いてもよい。
【００１８】
上記スイッチング電源装置では、上記スイッチ部は、ホトトライアックであり、上記ホトトライアックは、第１のダイオード部と、トライアック部とを有し、上記第１のダイオード部のアノードは、上記制御入力であり、上記トライアック部は、上記第１のダイオード部の導通時にＯＮしてもよい。
【００１９】
これにより、上記交流入力電圧が低下すると、アノードが制御入力である上記第１のダイオード部が導通し、上記トライアック部がＯＮできる。
【００２０】
上記スイッチング電源装置では、上記電圧低下検知部は、ホトカプラを有し、上記ホトカプラは、第２のダイオード部と、トランジスタ部とを有し、上記第２のダイオード部は、上記ダイオードブリッジ部と上記放電抵抗との間に設けられ、上記トランジスタ部は、ＯＮ時に上記制御入力を電気的に接地してもよい。
【００２１】
これにより、上記交流入力電圧が低下すると、上記第２のダイオード部が非導通となり、上記トランジスタ部がＯＦＦする。上記トランジスタ部がＯＦＦすることにより、上記スイッチ部の制御入力は、電気的に接地されなくなる。よって、上記スイッチ部の制御入力に電圧を印加することにより上記スイッチ部をＯＮできる。
【００２２】
上記スイッチング電源装置では、上記電圧低下検知部は、比較部を有し、上記比較部の第１の入力には、上記交流入力電圧に基づく第１の電圧が入力され、上記比較部の第２の入力には、上記直流入力に基づく第２の電圧が入力され、上記比較部の、上記第１の電圧と上記第２の電圧との比較結果に基づき、上記第１のダイオード部のアノードに制御電圧が出力されてもよい。これにより、上記トライアック部をＯＮできる。
【発明の効果】
【００２３】
本発明のスイッチング電源装置は、以上のように、スイッチ部と直列に接続される放電抵抗と、交流入力電圧の低下を検知する電圧低下検知部とを備え、直列に接続された、上記放電抵抗及び上記スイッチ部は、第１のコンデンサと並列に接続され、上記電圧低下検知部は、上記交流入力電圧の低下を検知すると、制御電圧を上記スイッチ部の制御入力に出力して上記スイッチ部を導通させるものである。
【００２４】
それゆえ、外部交流電源から外した際の感電を防ぐととともに、消費電力が小さいスイッチング電源装置を提供するという効果を奏する。
【図面の簡単な説明】
【００２５】
【図１】本発明の一実施形態に係るスイッチング電源装置のブロック図である。
【図２】本発明の他の実施形態に係るスイッチング電源装置のブロック図である。
【図３】本発明のさらに別の実施形態に係るスイッチング電源装置のブロック図である。
【図４】本発明のさらに別の実施形態に係るスイッチング電源装置のブロック図である。
【図５】本発明のさらに別の実施形態に係るスイッチング電源装置のブロック図である。
【図６】本発明のさらに別の実施形態に係るスイッチング電源装置のブロック図である。
【図７】本発明のさらに別の実施形態に係るスイッチング電源装置のブロック図である。
【図８】本発明のさらに別の実施形態に係るスイッチング電源装置のブロック図である。
【図９】本発明のさらに別の実施形態に係るスイッチング電源装置のブロック図である。
【図１０】本発明のさらに別の実施形態に係るスイッチング電源装置のブロック図である。
【図１１】本発明のさらに別の実施形態に係るスイッチング電源装置のブロック図である。
【図１２】本発明のさらに別の実施形態に係るスイッチング電源装置のブロック図である。
【図１３】本発明のさらに別の実施形態に係るスイッチング電源装置のブロック図である。
【図１４】従来のスイッチング電源装置のブロック図である。
【発明を実施するための形態】
【００２６】
〔実施の形態１〕
本発明の一実施形態について図１に基づいて説明すると以下の通りである。先ずは本実施形態に係るスイッチング電源装置１１の概略構成を、図１を参照して説明する。
【００２７】
図１は、本実施形態１に係るスイッチング電源装置１１のブロック図である。スイッチング電源装置１１は、後述する交流電源ＡＣ（外部交流電源）からＡＣ入力電圧（交流入力電圧）が入力されるスイッチング電源装置であって、ラインフィルタ回路６（ラインフィルタ部）と、ダイオードブリッジ回路Ｄ１（ダイオードブリッジ部）と、コンデンサＣ２（第１のコンデンサ）と、スイッチング素子Ｑ１（主スイッチング素子）と、スイッチング制御回路３（制御部）と、トランス（変圧トランス）Ｔ１と、トランスＴ１の出力を整流平滑するダイオードＤ２と、コンデンサＣ３と、放電抵抗Ｒ８と、電圧低下検知回路２（電圧低下検知部）と、スイッチ素子４（スイッチ部）とを備えている。放電抵抗Ｒ８とスイッチ素子４とは、直列に接続されている。
【００２８】
ＡＣ入力側のラインフィルタ回路６は、ラインフィルタＬ１とコンデンサＣ１（第２のコンデンサ）とを有しており、スイッチング素子Ｑ１が発生するノイズが、交流電源ＡＣに流出するのを防ぐ。トランスＴ１は、１次主巻線Ｎ１と、２次巻線Ｎ２と、１次副巻線Ｎ３とを有している。
【００２９】
スイッチング電源装置１１では、コンデンサＣ１の両端と、ラインフィルタＬ１の２つの入力端子とは、例えば商用の交流電源ＡＣに接続されている。ラインフィルタＬ１の第１の出力端子は、ダイオードブリッジ回路Ｄ１の第１の入力端子に接続され、ラインフィルタＬ１の第２の出力端子は、ダイオードブリッジ回路Ｄ１の第２の入力端子に接続されている。
【００３０】
ダイオードブリッジ回路Ｄ１の第１の出力は、コンデンサＣ２の一端と、電圧低下検知回路２の一端と、放電抵抗Ｒ８の一端と、トランスＴ１の１次主巻線Ｎ１の一端とに接続されている。１次主巻線Ｎ１の他端は、スイッチング素子Ｑ１のドレインに接続されている。スイッチング素子Ｑ１のゲートは、スイッチング制御回路３の出力に接続されている。１次副巻線Ｎ３の一端は、スイッチング制御回路３の第１の入力に接続されており、１次副巻線Ｎ３の他端は、スイッチング制御回路３の第２の入力と、スイッチング素子Ｑ１のソースとに接続されている。
【００３１】
放電抵抗Ｒ８の他端は、スイッチ素子４の一端に接続されている。スイッチ素子４の他端と、スイッチング制御回路３のＧＮＤと、電圧低下検知回路２の他端と、コンデンサＣ２の他端と、ダイオードブリッジ回路Ｄ１の第２の出力とは、電気的に接地されている。電圧低下検知回路２の出力は、スイッチ素子４の制御入力に接続されている。
【００３２】
２次巻線Ｎ２の一端は、ダイオードＤ２のアノードに接続されている。ダイオードＤ２のカソードは、コンデンサＣ３の一端と負荷ＬＯＡＤの一端とに接続されている。そして、２次巻線Ｎ２の他端と、コンデンサＣ３の他端と負荷ＬＯＡＤの他端とは、互いに接続されている。
【００３３】
以下ではスイッチング電源装置１１の動作について説明する。スイッチング電源装置１１では、スイッチング制御回路３は、他励式にて、スイッチング素子Ｑ１を制御して、直流入力Ｖ３を所望する電圧に安定化して直流出力Ｖ４として出力する。また、ダイオードブリッジ回路Ｄ１は、交流電源ＡＣから出力され、ラインフィルタ回路６を介したＡＣ電圧を整流する。コンデンサＣ２は、ダイオードブリッジ回路Ｄ１により整流された電圧を平滑する。ダイオードＤ２は、トランスＴ１の出力を整流平滑する。
【００３４】
交流電源ＡＣから入力されるＡＣ入力電圧が低下すると、ＡＣ入力電圧を、ダイオードブリッジ回路６で整流するとともにコンデンサＣ２で平滑した後の電圧が電圧低下検知回路２に入力される。電圧低下検知回路２は、ＡＣ入力電圧を、ダイオードブリッジ回路６で整流するとともにコンデンサＣ２で平滑した後の電圧の低下を検知することにより、ＡＣ入力電圧の低下を検知する。このようにして電圧低下検知回路２がＡＣ入力電圧の低下を検知すると、制御電圧をスイッチ素子４の制御入力に出力してスイッチ素子４をＯＮする。スイッチ素子４をＯＮするために電圧低下検知回路２が検知する電圧は、所望の値に設定すればよい。
【００３５】
スイッチ素子４をＯＮすることにより、放電抵抗Ｒ８は、コンデンサＣ２と並列に接続されるとともに、ダイオードブリッジ回路Ｄ１を介してラインフィルタ回路６のコンデンサＣ１と接続される。このような放電抵抗Ｒ８により、コンデンサＣ１の電荷とコンデンサＣ２の電荷とを同時に放電できる。
【００３６】
放電抵抗Ｒ８は、ＡＣ入力電圧が低下した後、即ちコンデンサＣ１，Ｃ２を放電したい時だけ接続される。従って、スイッチング電源装置１１の消費電力が小さくなり経済的であるとともに、放電抵抗Ｒ８の抵抗値は、放電に最適な抵抗値に設定すればよく、放電抵抗Ｒ８は、従来図１４の放電抵抗Ｒ１１０よりも抵抗値を小さく出来、より早く放電できる。
【００３７】
また、放電抵抗Ｒ８は、従来図１４の放電抵抗Ｒ１１０と異なり、ダイオードブリッジ回路Ｄ１の出力側にある。従って、放電抵抗Ｒ８が、コンデンサＣ２と並列に接続されるとともに、ダイオードブリッジ回路Ｄ１を介してラインフィルタ回路６のコンデンサＣ１と接続された際に、コンデンサＣ１，Ｃ２の電荷の放電による電流が、トランスＴ１側へ（スイッチング電源装置１１の内部へ）向けて流れ、ＡＣプラグ側に（交流電源ＡＣ側に）流れない。よって、感電の恐れが無い。
【００３８】
コンデンサＣ１の静電容量、コンデンサＣ２の静電容量、及び放電抵抗Ｒ８の抵抗値に関して、以下に示す（１）式及び（２）式が成立する。ここで、ｉは放電電流(単位は例えばＡ)、Ｅは放電開始電圧（ＡＣ入力電圧が低下し始めた時のコンデンサＣ１，Ｃ２の両端の電圧）、Ｒは放電抵抗Ｒ８の抵抗値（単位は例えばΩ）、ｔは放電時間（単位は例えば秒）ＣはコンデンサＣ１，Ｃ２の合成静電容量（Ｃ＝Ｃ１＋Ｃ２、単位は例えばμＦ）、Ｖはｔ秒後の放電後電圧である。
【００３９】
ｉ＝（Ｅ／Ｒ）×２．７＾（−ｔ／ＲＣ）    （１）
Ｖ＝ｉ×Ｒ    （２）
（１）式においてＥ＝４００Ｖ、Ｃ＝２２０μＦの場合、Ｒ＝１８００Ωとすると、（１）式及び（２）式から、スイッチング電源装置１１では、１秒後（ｔ＝１）の放電後電圧Ｖを、“危険な活電部電圧”以下にできる。“危険な活電部電圧”は、直流では６０Ｖであり、交流では３５Ｖ（ピーク）である。
【００４０】
このように、放電開始電圧Ｅの値及び合成静電容量Ｃの値に対して放電抵抗Ｒ８の抵抗値Ｒを適宜設定することにより、コンデンサＣ１，Ｃ２の両端電圧を、所望の時間で所望の電圧にすることが可能となる。
【００４１】
〔実施の形態２〕
本発明の他の実施形態について図２に基づいて説明すると以下の通りである。なお、本実施形態において説明すること以外の構成は、前記実施の形態１と同じである。また、説明の便宜上、前記実施の形態１の図面に示した部材と同一の機能を有する部材については、同一の符号を付し、その説明を省略する。本段落に記載の内容は、実施形態３以降も同様である。
【００４２】
図２は、本実施形態２に係るスイッチング電源装置１２のブロック図である。スイッチング電源装置１２と実施の形態１のスイッチング電源装置１１との相違点は、電圧低下検知回路２の一端の接続先である。スイッチング電源装置１２では、電圧低下検知回路２の一端は、コンデンサＣ１の一端に接続されている。このような構成とすることにより、電圧低下検知回路２では、ＡＣ入力電圧の低下を検知してスイッチ素子４をＯＮできる。スイッチ素子４をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００４３】
〔実施の形態３〕
図３は、本実施形態３に係るスイッチング電源装置１３のブロック図である。スイッチング電源装置１３は、実施の形態１のスイッチング電源装置１１に、高調波対策回路Ｈ１（高調波対策部）を追加したスイッチング電源装置である。高調波対策回路Ｈ１は、ダイオードブリッジ回路Ｄ１と電圧低下検知回路２との間に設けられる。
【００４４】
高調波対策回路Ｈ１は、コンデンサＣ２を含むとともに、チョークコイルＬ２と、スイッチング素子Ｑ２と、ダイオードＤ３と、高調波対策制御回路５とを有している。
【００４５】
スイッチング電源装置１３では、ダイオードブリッジ回路Ｄ１の第１の出力は、チョークコイルＬ２の一端に接続されている。チョークコイルＬ２の他端は、ダイオードＤ３のアノードとスイッチング素子Ｑ２のドレインとに接続されている。ダイオードＤ３のカソードは、コンデンサＣ２の一端と、電圧低下検知回路２の一端と、放電抵抗Ｒ８の一端と、トランスＴ１の１次主巻線Ｎ１の一端とに接続されている。
【００４６】
スイッチング素子Ｑ２のゲートは、高調波対策制御回路５の出力に接続されている。スイッチング素子Ｑ２のソース及び高調波対策制御回路５のＧＮＤは、電気的に接地されている。
【００４７】
以下ではスイッチング電源装置１３の動作について説明する。スイッチング電源装置１３では、ＡＣ入力電圧が低下し、トランスＴ１の出力電圧が低下すると、スイッチング制御回路３の動作が停止し、高調波対策回路Ｈ１も停止する。
【００４８】
そこで、ＡＣ入力整流平滑後の電圧の低下、即ち高調波対策回路Ｈ１の出力電圧の低下を、電圧低下検知回路２で検知することにより、スイッチ素子４をＯＮできる。スイッチ素子４をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００４９】
〔実施の形態４〕
図４は、本実施形態４に係るスイッチング電源装置１４のブロック図である。スイッチング電源装置１４と実施の形態３のスイッチング電源装置１３との相違点は、電圧低下検知回路２の一端の接続先である。スイッチング電源装置１４では、電圧低下検知回路２の一端は、コンデンサＣ１の一端に接続されている。このような構成とすることにより、電圧低下検知回路２では、ＡＣ入力電圧の低下を検知してスイッチ素子４をＯＮできる。スイッチ素子４をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００５０】
〔実施の形態５〕
図５は、本実施形態５に係るスイッチング電源装置１５のブロック図である。スイッチング電源装置１５は、実施の形態２のスイッチング電源装置１２において、トライアックＴＲＣ１でスイッチ素子４を構成するとともに、抵抗Ｒ２〜Ｒ７と、ダイオードＤ４と、トランジスタＱ３と、コンデンサＣ４〜Ｃ６とで電圧低下検知回路２を構成している。
【００５１】
スイッチング電源装置１５では、コンデンサＣ１の一端に、ダイオードＤ４のアノードが接続されている。ダイオードＤ４のカソードは、抵抗Ｒ２の一端に接続されている。抵抗Ｒ２の他端は、抵抗Ｒ３の一端と、コンデンサＣ４の一端と、トランジスタＱ３のベースとに接続されている。
【００５２】
トランジスタＱ３のコレクタは、抵抗Ｒ４の一端と、抵抗Ｒ５の一端と、コンデンサＣ５の一端と、トライアックＴＲＣ１のゲート（制御入力）とに接続されている。抵抗Ｒ４の他端は、抵抗Ｒ６の一端と、抵抗Ｒ７の一端と、コンデンサＣ６の一端とに接続されている。抵抗Ｒ６の他端は、ダイオードブリッジ回路Ｄ１の第１の出力に接続されている。トライアックＴＲＣ１の一端は、放電抵抗Ｒ８の他端に接続されている。そして、トライアックＴＲＣ１の他端と、コンデンサＣ６の他端と、抵抗Ｒ７の他端と、コンデンサＣ５の他端と、抵抗Ｒ５の他端と、トランジスタＱ３のエミッタと、コンデンサＣ４の他端と、抵抗Ｒ３の他端とは、電気的に接地されている。
【００５３】
以下ではスイッチング電源装置１５の動作について説明する。スイッチング電源装置１５では、ＡＣ入力電圧からダイオードＤ４による電圧降下を引いた電圧を、抵抗Ｒ２と抵抗Ｒ３とにより分圧した電圧が、所定の電圧を下回ると、トランジスタＱ３がｏｆｆする。そして、抵抗Ｒ６，Ｒ４，Ｒ５，Ｒ７によって、スイッチ素子であるトライアックＴＲＣ１のゲートに電圧を印加してトライアックＴＲＣ１をＯＮする。トライアックＴＲＣ１をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００５４】
スイッチ素子４は、ドライブ電圧、即ち制御入力に印加される電圧が、制御入力に印加されなくなってもＯＮし続けることが望ましい。このため、ゲートに電圧が印加される（ゲート電流が流れる）と、アノードとカソードとの間が導通し、アノードとカソードとの間を流れる導通電流が０になるまで導通し続けるトライアックＴＲＣ１を用いると、スイッチング電源装置１５において適切に放電抵抗Ｒ８を接続できる。また、上記理由から、スイッチ素子４としてサーミスタを用いてもよい。
【００５５】
〔実施の形態６〕
図６は、本実施形態６に係るスイッチング電源装置１６のブロック図である。スイッチング電源装置１６は、実施の形態２のスイッチング電源装置１２において、トライアックＴＲＣ１でスイッチ素子４を構成するとともに、抵抗Ｒ２，Ｒ３，Ｒ５，Ｒ９と、ダイオードＤ４と、トランジスタＱ３と、コンデンサＣ５とで電圧低下検知回路２を構成している。
【００５６】
スイッチング電源装置１６では、コンデンサＣ１の一端に、ダイオードＤ４のアノードが接続されている。ダイオードＤ４のカソードは、抵抗Ｒ２の一端に接続されている。抵抗Ｒ２の他端は、抵抗Ｒ３の一端と、コンデンサＣ４の一端と、トランジスタＱ３のベースとに接続されている。
【００５７】
トランジスタＱ３のコレクタは、抵抗Ｒ９の一端と、抵抗Ｒ５の一端と、コンデンサＣ５の一端と、トライアックＴＲＣ１のゲートとに接続されている。抵抗Ｒ９の他端は、１次副巻線Ｎ３の一端に接続されている。トライアックＴＲＣ１の一端は、放電抵抗Ｒ８の他端に接続されている。そして、トライアックＴＲＣ１の他端と、コンデンサＣ５の他端と、抵抗Ｒ５の他端と、トランジスタＱ３のエミッタと、コンデンサＣ４の他端と、抵抗Ｒ３の他端とは、電気的に接地されている。
【００５８】
以下ではスイッチング電源装置１６の動作について説明する。スイッチング電源装置１６では、ＡＣ入力電圧からダイオードＤ４による電圧降下を引いた電圧を、抵抗Ｒ２と抵抗Ｒ３とにより分圧した電圧が、所定の電圧を下回ると、トランジスタＱ３がｏｆｆする。そして、１次副巻線Ｎ３の出力電圧を、抵抗Ｒ９と抵抗Ｒ５とにより分圧した電圧を、トライアックＴＲＣ１のゲートに印加してトライアックＴＲＣ１をＯＮする。トライアックＴＲＣ１をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００５９】
〔実施の形態７〕
図７は、本実施形態７に係るスイッチング電源装置１７のブロック図である。スイッチング電源装置１７は、実施の形態２のスイッチング電源装置１２において、トライアックＴＲＣ１でスイッチ素子４を構成するとともに、ホトカプラＰＣ１と、抵抗Ｒ４〜Ｒ７と、トランジスタＱ３と、コンデンサＣ５，Ｃ６とで電圧低下検知回路２を構成している。ホトカプラＰＣ１は、ダイオードＰＣ１ｄ（第２のダイオード部）と、トランジスタＰＣ１ｔ（トランジスタ部）とを有している。
【００６０】
ダイオードＰＣ１ｄは、ダイオードブリッジ回路Ｄ１とトライアックＴＲＣ１との間に設けられ、トランジスタＰＣ１ｔは、ＯＮ時に上記制御入力を電気的に接地する。
【００６１】
スイッチング電源装置１７では、トランジスタＰＣ１ｔのコレクタは、抵抗Ｒ４の一端と、抵抗Ｒ５の一端と、コンデンサＣ５の一端と、トライアックＴＲＣ１のゲートとに接続されている。抵抗Ｒ４の他端は、抵抗Ｒ６の一端と、抵抗Ｒ７の一端と、コンデンサＣ６の一端とに接続されている。抵抗Ｒ６の他端は、ダイオードＰＣ１ｄのカソードに接続されている。ダイオードＰＣ１ｄのアノードは、ダイオードブリッジ回路Ｄ１の第１の出力に接続されている。トライアックＴＲＣ１の一端は、放電抵抗Ｒ８の他端に接続されている。そして、トライアックＴＲＣ１の他端と、コンデンサＣ６の他端と、抵抗Ｒ７の他端と、コンデンサＣ５の他端と、抵抗Ｒ５の他端と、トランジスタＰＣ１ｔのエミッタとは、電気的に接地されている。
【００６２】
以下ではスイッチング電源装置１７の動作について説明する。スイッチング電源装置１７では、ＡＣ入力電圧が低下し、所定の電圧を下回ると、ダイオードＰＣ１ｄが非導通となり、トランジスタＰＣ１ｔがＯＦＦする。トランジスタＰＣ１ｔがＯＦＦすることにより、トライアックＴＲＣ１のゲートは電気的に接地されなくなる。そして、抵抗Ｒ６，Ｒ４，Ｒ５，Ｒ７によって、スイッチ素子であるトライアックＴＲＣ１のゲートに電圧を印加することによりトライアックＴＲＣ１をＯＮできる。トライアックＴＲＣ１をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００６３】
〔実施の形態８〕
図８は、本実施形態８に係るスイッチング電源装置１８のブロック図である。スイッチング電源装置１８は、実施の形態２のスイッチング電源装置１２において、トライアックＴＲＣ１でスイッチ素子４を構成するとともに、ホトカプラＰＣ１と、抵抗Ｒ５，Ｒ９と、コンデンサＣ５とで電圧低下検知回路２を構成している。ホトカプラＰＣ１は、ダイオードＰＣ１ｄと、トランジスタＰＣ１ｔとを有している。
【００６４】
ダイオードＰＣ１ｄは、ダイオードブリッジ回路Ｄ１とトライアックＴＲＣ１との間に設けられ、トランジスタＰＣ１ｔは、ＯＮ時に上記制御入力を電気的に接地する。
【００６５】
スイッチング電源装置１８では、トランジスタＰＣ１ｔのコレクタは、抵抗Ｒ９の一端と、抵抗Ｒ５の一端と、コンデンサＣ５の一端と、トライアックＴＲＣ１のゲートとに接続されている。抵抗Ｒ９の他端は、１次副巻線Ｎ３の一端に接続されている。ダイオードＰＣ１ｄのアノードは、ダイオードブリッジ回路Ｄ１の第１の出力に接続されている。ダイオードＰＣ１ｄのカソードは、コンデンサＣ２の一端に接続されている。トライアックＴＲＣ１の一端は、放電抵抗Ｒ８の他端に接続されている。そして、トライアックＴＲＣ１の他端と、コンデンサＣ５の他端と、抵抗Ｒ５の他端と、トランジスタＰＣ１ｔのエミッタとは、電気的に接地されている。
【００６６】
以下ではスイッチング電源装置１８の動作について説明する。スイッチング電源装置１８では、ＡＣ入力電圧が低下し、所定の電圧を下回ると、ダイオードＰＣ１ｄが非導通となり、トランジスタＰＣ１ｔがＯＦＦする。トランジスタＰＣ１ｔがＯＦＦすることにより、トライアックＴＲＣ１のゲートは電気的に接地されなくなる。そして、１次副巻線Ｎ３の出力電圧を、抵抗Ｒ９と抵抗Ｒ５とにより分圧した電圧を、トライアックＴＲＣ１のゲートに印加することによりトライアックＴＲＣ１をＯＮできる。トライアックＴＲＣ１をＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００６７】
〔実施の形態９〕
図９は、本実施形態９に係るスイッチング電源装置１９のブロック図である。スイッチング電源装置１９は、実施の形態２のスイッチング電源装置１２において、ホトトライアックＰＴＲＣ１でスイッチ素子４を構成するとともに、抵抗Ｒ２，Ｒ３，Ｒ９と、ダイオードＤ４と、トランジスタＱ３と、コンデンサＣ４，Ｃ５とで電圧低下検知回路２を構成している。ホトトライアックＰＴＲＣ１は、トライアックＰＴＲＣ１ｔ（トライアック部）と、ダイオードＰＴＲＣ１ｄ（第１のダイオード部）とを有している。
【００６８】
ダイオードＰＴＲＣ１ｄのアノードは、制御入力であり、トライアックＰＴＲＣ１ｔは、ダイオードＰＴＲＣ１ｄの導通時にＯＮする。
【００６９】
スイッチング電源装置１９では、コンデンサＣ１の一端に、ダイオードＤ４のアノードが接続されている。ダイオードＤ４のカソードは、抵抗Ｒ２の一端に接続されている。抵抗Ｒ２の他端は、抵抗Ｒ３の一端と、コンデンサＣ４の一端と、トランジスタＱ３のベースとに接続されている。
【００７０】
トランジスタＱ３のコレクタは、抵抗Ｒ９の一端と、ダイオードＰＴＲＣ１ｄのアノードと、コンデンサＣ５の一端とに接続されている。抵抗Ｒ９の他端は、１次副巻線Ｎ３の一端に接続されている。トライアックＰＴＲＣ１ｔの一端は、放電抵抗Ｒ８の他端に接続されている。そして、トライアックＰＴＲＣ１ｔの他端と、コンデンサＣ５の他端と、ダイオードＰＴＲＣ１ｄのカソードと、トランジスタＱ３のエミッタと、コンデンサＣ４の他端と、抵抗Ｒ３の他端とは、電気的に接地されている。
【００７１】
以下ではスイッチング電源装置１９の動作について説明する。スイッチング電源装置１９では、ＡＣ入力電圧からダイオードＤ４による電圧降下を引いた電圧を、抵抗Ｒ２と抵抗Ｒ３とにより分圧した電圧が、所定の電圧を下回ると、トランジスタＱ３がｏｆｆする。そして、抵抗Ｒ９を介した１次副巻線Ｎ３の出力電圧によって、アノードが制御入力であるダイオードＰＴＲＣ１ｄが導通する結果、トライアックＰＴＲＣ１ｔがＯＮする。トライアックＰＴＲＣ１ｔをＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００７２】
〔実施の形態１０〕
図１０は、本実施形態１０に係るスイッチング電源装置２０のブロック図である。スイッチング電源装置１９は、実施の形態２のスイッチング電源装置１２において、ホトトライアックＰＴＲＣ１でスイッチ素子４を構成するとともに、ホトカプラＰＣ１と、抵抗Ｒ９と、コンデンサＣ５とで電圧低下検知回路２を構成している。ホトカプラＰＣ１は、ダイオードＰＣ１ｄと、トランジスタＰＣ１ｔとを有している。ホトトライアックＰＴＲＣ１は、トライアックＰＴＲＣ１ｔと、ダイオードＰＴＲＣ１ｄとを有している。
【００７３】
ダイオードＰＣ１ｄは、ダイオードブリッジ回路Ｄ１とトライアックＴＲＣ１との間に設けられ、トランジスタＰＣ１ｔは、ＯＮ時に上記制御入力を電気的に接地する。
【００７４】
ダイオードＰＴＲＣ１ｄのアノードは、制御入力であり、トライアックＰＴＲＣ１ｔは、ダイオードＰＴＲＣ１ｄの導通時にＯＮする。
【００７５】
スイッチング電源装置２０では、トランジスタＰＣ１ｔのコレクタは、抵抗Ｒ９の一端と、コンデンサＣ５の一端と、ダイオードＰＴＲＣ１ｄのアノードとに接続されている。抵抗Ｒ９の他端は、１次副巻線Ｎ３の一端に接続されている。ダイオードＰＣ１ｄのアノードは、ダイオードブリッジ回路Ｄ１の第１の出力に接続されている。ダイオードＰＣ１ｄのカソードは、コンデンサＣ２の一端に接続されている。トライアックＰＴＲＣ１ｔの一端は、放電抵抗Ｒ８の他端に接続されている。そして、トライアックＰＴＲＣ１ｔの他端と、コンデンサＣ５の他端と、ダイオードＰＴＲＣ１ｄのカソードと、トランジスタＰＣ１ｔのエミッタとは、電気的に接地されている。
【００７６】
以下ではスイッチング電源装置２０の動作について説明する。スイッチング電源装置２０では、ＡＣ入力電圧が低下し、所定の電圧を下回ると、ダイオードＰＣ１ｄが非導通となり、トランジスタＰＣ１ｔがＯＦＦする。トランジスタＰＣ１ｔがＯＦＦすることにより、制御入力であるダイオードＰＴＲＣ１ｄのアノードは、電気的に接地されなくなる。そして、抵抗Ｒ９を介した１次副巻線Ｎ３の出力電圧によって、ダイオードＰＴＲＣ１ｄが導通する結果、トライアックＰＴＲＣ１ｔがＯＮする。トライアックＰＴＲＣ１ｔをＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００７７】
〔実施の形態１１〕
図１１は、本実施形態１１に係るスイッチング電源装置２１のブロック図である。スイッチング電源装置２１は、実施の形態２のスイッチング電源装置１２において、ホトトライアックＰＴＲＣ１でスイッチ素子４を構成するとともに、コンパレータＣＯＭＰ１（比較部）と、抵抗Ｒ９，Ｒ１１〜Ｒ１５と、トランジスタＱ４と、コンデンサＣ５とで電圧低下検知回路２を構成している。ホトトライアックＰＴＲＣ１は、トライアックＰＴＲＣ１ｔと、ダイオードＰＴＲＣ１ｄとを有している。
【００７８】
コンパレータＣＯＭＰ１の反転入力端子（−、第１の入力）には、ＡＣ入力電圧に基づく電圧Ｖ１（第１の電圧）が入力され、コンパレータＣＯＭＰ１の非反転入力端子（＋、第２の入力）には、直流入力Ｖ３に基づく電圧Ｖ２（第２の電圧）が入力される。コンパレータＣＯＭＰ１の、電圧Ｖ１と電圧Ｖ２との比較結果に基づき、制御入力であるダイオードＰＴＲＣ１ｄのアノードに制御電圧が出力される。これにより、トライアックＰＴＲＣ１ｔをＯＮできる。
【００７９】
スイッチング電源装置２１では、トランジスタＱ４のエミッタは、抵抗Ｒ９の一端と、ダイオードＰＴＲＣ１ｄのアノードと、コンデンサＣ５の一端とに接続されている。抵抗Ｒ９の他端は、１次副巻線Ｎ３の一端と、抵抗Ｒ１１の一端と、抵抗Ｒ１３の一端とに接続されている。抵抗Ｒ１１の他端は、抵抗Ｒ１２の一端と、コンパレータＣＯＭＰ１の反転入力端子とに接続されている。抵抗Ｒ１３の他端は、抵抗Ｒ１４の一端と、コンパレータＣＯＭＰ１の非反転入力端子とに接続されている。コンパレータＣＯＭＰ１の出力は、トランジスタＱ４のベースに接続されている。抵抗Ｒ１２の他端は、ダイオードブリッジ回路Ｄ１の第２の出力と抵抗Ｒ５の一端とに接続されている。トライアックＰＴＲＣ１ｔの一端は、放電抵抗Ｒ８の他端に接続されている。そして、トライアックＰＴＲＣ１ｔの他端と、コンデンサＣ５の他端と、ダイオードＰＴＲＣ１ｄのカソードと、トランジスタＱ４のコレクタと、抵抗Ｒ１４の他端と、抵抗Ｒ１５の他端とは、電気的に接地されている。
【００８０】
以下ではスイッチング電源装置２１の動作について説明する。スイッチング電源装置２１では、抵抗Ｒ１５の両端電圧の変化を、抵抗Ｒ１１，Ｒ１２，Ｒ１３，Ｒ１４とコンパレータＣＯＭＰ１とで検知する。スイッチング電源装置２１の動作が停止し、ＡＣ入力電圧が低下すると、コンパレータＣＯＭＰ１の出力がＨｉとなる。これにより、トランジスタＱ４のベースがＨｉとなるので、トランジスタＱ４がＯＦＦする。そして、抵抗Ｒ９を介した１次副巻線Ｎ３の出力電圧によって、ダイオードＰＴＲＣ１ｄが導通する結果、トライアックＰＴＲＣ１ｔがＯＮする。トライアックＰＴＲＣ１ｔをＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００８１】
〔実施の形態１２〕
図１２は、本実施形態１２に係るスイッチング電源装置２２のブロック図である。スイッチング電源装置２２は、実施の形態２のスイッチング電源装置１２において、ホトトライアックＰＴＲＣ１でスイッチ素子４を構成するとともに、コンパレータＣＯＭＰ１と、抵抗Ｒ９，Ｒ１１，Ｒ１２，Ｒ１６，Ｒ１７と、ダイオードＤ５と、トランジスタＱ４と、コンデンサＣ５，Ｃ７とで電圧低下検知回路２を構成している。ホトトライアックＰＴＲＣ１は、トライアックＰＴＲＣ１ｔと、ダイオードＰＴＲＣ１ｄとを有している。
【００８２】
コンパレータＣＯＭＰ１の反転入力端子（−、第１の入力）には、ＡＣ入力電圧に基づく電圧Ｖ１（第１の電圧）が入力され、コンパレータＣＯＭＰ１の非反転入力端子（＋、第２の入力）には、直流入力Ｖ３に基づく電圧Ｖ２（第２の電圧）が入力される。コンパレータＣＯＭＰ１の、電圧Ｖ１と電圧Ｖ２との比較結果に基づき、制御入力であるダイオードＰＴＲＣ１ｄのアノードに制御電圧が出力される。これにより、トライアックＰＴＲＣ１ｔをＯＮできる。
【００８３】
スイッチング電源装置２２では、トランジスタＱ４のエミッタは、抵抗Ｒ９の一端と、ダイオードＰＴＲＣ１ｄのアノードと、コンデンサＣ５の一端とに接続されている。抵抗Ｒ９の他端は、１次副巻線Ｎ３の一端と、抵抗Ｒ１１の一端とに接続されている。抵抗Ｒ１１の他端は、抵抗Ｒ１２の一端と、コンパレータＣＯＭＰ１の反転入力端子とに接続されている。ダイオードＤ５のアノードは、コンデンサＣ１の他端に接続されている。ダイオードＤ５のカソードは、抵抗Ｒ１６の一端に接続されている。抵抗Ｒ１６の他端は、抵抗Ｒ１７の一端と、コンパレータＣＯＭＰ１の非反転入力端子と、コンデンサＣ７の一端とに接続されている。コンパレータＣＯＭＰ１の出力は、トランジスタＱ４のベースに接続されている。トライアックＰＴＲＣ１ｔの一端は、放電抵抗Ｒ８の他端に接続されている。そして、トライアックＰＴＲＣ１ｔの他端と、コンデンサＣ５の他端と、ダイオードＰＴＲＣ１ｄのカソードと、トランジスタＱ４のコレクタと、抵抗Ｒ１２の他端と、抵抗Ｒ１７の他端と、コンデンサＣ７の他端とは、電気的に接地されている。
【００８４】
以下ではスイッチング電源装置２２の動作について説明する。スイッチング電源装置２２では、ダイオードＤ５により整流されたＡＣ入力電圧の変化を、抵抗Ｒ１１，Ｒ１２，Ｒ１６，Ｒ１７とコンデンサＣ７とコンパレータＣＯＭＰ１とで検知する。スイッチング電源装置２２の動作が停止し、ＡＣ入力電圧が低下すると、コンパレータＣＯＭＰ１の出力がＨｉとなる。これにより、トランジスタＱ４のベースがＨｉとなるので、トランジスタＱ４がＯＦＦする。そして、抵抗Ｒ９を介した１次副巻線Ｎ３の出力電圧によって、ダイオードＰＴＲＣ１ｄが導通する結果、トライアックＰＴＲＣ１ｔがＯＮする。トライアックＰＴＲＣ１ｔをＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００８５】
〔実施の形態１３〕
図１３は、本実施形態１３に係るスイッチング電源装置２３のブロック図である。スイッチング電源装置２３は、実施の形態２のスイッチング電源装置１２において、ホトトライアックＰＴＲＣ１でスイッチ素子４を構成するとともに、コンパレータＣＯＭＰ１と、抵抗Ｒ９，Ｒ１１，Ｒ１２，Ｒ１６，Ｒ１７と、ダイオードＤ５，Ｄ６と、トランジスタＱ４と、コンデンサＣ５，Ｃ７とで電圧低下検知回路２を構成している。ホトトライアックＰＴＲＣ１は、トライアックＰＴＲＣ１ｔと、ダイオードＰＴＲＣ１ｄとを有している。
【００８６】
コンパレータＣＯＭＰ１の反転入力端子（−、第１の入力）には、ＡＣ入力電圧に基づく電圧Ｖ１（第１の電圧）が入力され、コンパレータＣＯＭＰ１の非反転入力端子（＋、第２の入力）には、直流入力Ｖ３に基づく電圧Ｖ２（第２の電圧）が入力される。コンパレータＣＯＭＰ１の、電圧Ｖ１と電圧Ｖ２との比較結果に基づき、制御入力であるダイオードＰＴＲＣ１ｄのアノードに制御電圧が出力される。これにより、トライアックＰＴＲＣ１ｔをＯＮできる。
【００８７】
スイッチング電源装置２３では、トランジスタＱ４のエミッタは、抵抗Ｒ９の一端と、ダイオードＰＴＲＣ１ｄのアノードと、コンデンサＣ５の一端とに接続されている。抵抗Ｒ９の他端は、１次副巻線Ｎ３の一端と、抵抗Ｒ１１の一端とに接続されている。抵抗Ｒ１１の他端は、抵抗Ｒ１２の一端と、コンパレータＣＯＭＰ１の反転入力端子とに接続されている。ダイオードＤ６のアノードは、コンデンサＣ１の一端に接続されている。ダイオードＤ５のアノードは、コンデンサＣ１の他端に接続されている。ダイオードＤ６のカソード及びダイオードＤ５のカソードは、抵抗Ｒ１６の一端に接続されている。抵抗Ｒ１６の他端は、抵抗Ｒ１７の一端と、コンパレータＣＯＭＰ１の非反転入力端子と、コンデンサＣ７の一端とに接続されている。コンパレータＣＯＭＰ１の出力は、トランジスタＱ４のベースに接続されている。トライアックＰＴＲＣ１ｔの一端は、放電抵抗Ｒ８の他端に接続されている。そして、トライアックＰＴＲＣ１ｔの他端と、コンデンサＣ５の他端と、ダイオードＰＴＲＣ１ｄのカソードと、トランジスタＱ４のコレクタと、抵抗Ｒ１２の他端と、抵抗Ｒ１７の他端と、コンデンサＣ７の他端とは、電気的に接地されている。
【００８８】
以下ではスイッチング電源装置２３の動作について説明する。スイッチング電源装置２３では、ダイオードＤ６により整流されたＡＣ入力電圧と、ダイオードＤ５により整流されたＡＣ入力電圧との和の電圧の変化を、抵抗Ｒ１１，Ｒ１２，Ｒ１６，Ｒ１７とコンデンサＣ７とコンパレータＣＯＭＰ１とで検知する。ＡＣ入力電圧を交流電源ＡＣが接続された２本のライン両方から取り出すことで、コンパレータＣＯＭＰ１の非反転入力端子の電圧Ｖ２の安定化を実現している。
【００８９】
スイッチング電源装置２３の動作が停止し、ＡＣ入力電圧が低下すると、コンパレータＣＯＭＰ１の出力がＨｉとなる。これにより、トランジスタＱ４のベースがＨｉとなるので、トランジスタＱ４がＯＦＦする。そして、抵抗Ｒ９を介した１次副巻線Ｎ３の出力電圧によって、ダイオードＰＴＲＣ１ｄが導通する結果、トライアックＰＴＲＣ１ｔがＯＮする。トライアックＰＴＲＣ１ｔをＯＮすることにより、コンデンサＣ２と並列に接続されるとともに、ダイオードブリッジ回路Ｄ１を介してラインフィルタ回路６のコンデンサＣ１と接続される放電抵抗Ｒ８は、コンデンサＣ１の電荷とコンデンサＣ２の電荷とを同時に放電できる。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９１】
本発明のスイッチング電源装置は、外部交流電源から外した際の感電を防ぐととともに、消費電力が小さいので、直流電圧を出力するスイッチング電源装置、液晶ＴＶ用スイッチング電源装置、液晶ＴＶのＬＥＤバックライト用スイッチング電源装置に好適に用いることが出来る。
【符号の説明】
【００９２】
１１〜２３  スイッチング電源装置
２  電圧低下検知回路（電圧低下検知部）
３  スイッチング制御回路（制御部）
４  スイッチ素子（スイッチ部）
５  高調波対策制御回路
６  ラインフィルタ回路（ラインフィルタ部）
ＡＣ  交流電源
Ｃ  合成静電容量
Ｃ１  コンデンサ（第２のコンデンサ）
Ｃ２  コンデンサ（第１のコンデンサ）
Ｃ３〜Ｃ７  コンデンサ
ＣＯＭＰ１  コンパレータ（比較部）
Ｄ１  ダイオードブリッジ回路（ダイオードブリッジ部）
Ｄ２〜Ｄ６  ダイオード
Ｅ  放電開始電圧
Ｈ１  高調波対策回路（高調波対策部）
ｉ  放電電流
Ｌ１  ラインフィルタ
Ｌ２  チョークコイル
ＬＯＡＤ  負荷
Ｎ１  １次主巻線
Ｎ２  ２次巻線
Ｎ３  １次副巻線
ＰＣ１  ホトカプラ
ＰＣ１ｄ  ダイオード（第２のダイオード部）
ＰＣ１ｔ  トランジスタ（トランジスタ部）
ＰＴＲＣ１  ホトトライアック
ＰＴＲＣ１ｄ  ダイオード（第１のダイオード部）
ＰＴＲＣ１ｔ  トライアック（トライアック部）
Ｑ１  スイッチング素子（主スイッチング素子）
Ｑ２  スイッチング素子
Ｑ３，Ｑ４  トランジスタ
Ｒ  抵抗値
Ｒ２〜Ｒ７，Ｒ９，Ｒ１１〜Ｒ１７  抵抗
Ｒ８  放電抵抗
ｔ  放電時間
Ｔ１  トランス（変圧部）
ＴＲＣ１  トライアック
【図１】
2011067075.tif 000003
【図２】
2011067075.tif 000004
【図３】
2011067075.tif 000005
【図４】
2011067075.tif 000006
【図５】
2011067075.tif 000007
【図６】
2011067075.tif 000008
【図７】
2011067075.tif 000009
【図８】
2011067075.tif 000010
【図９】
2011067075.tif 000011
【図１０】
2011067075.tif 000012
【図１１】
2011067075.tif 000013
【図１２】
2011067075.tif 000014
【図１３】
2011067075.tif 000015
【図１４】
2011067075.tif 000016